(57)【要約】【課題】  測定後の試料と新たに測定する試料との交換を行う際に、荷重検出部から皿受けも取り外すことにより、荷重検出部の冷却時間を短くすることができる試料皿支持具を提供する。【解決手段】  水分計１に用いられる試料皿支持具８０であって、試料皿４０が取り付けられた皿受け３０を支持することが可能となるプレート部８１と、把持されるための持ち手８２とを備え、試料皿４０が取り付けられた皿受け３０を支持した試料皿支持具８０が試料皿取付位置に運ばれて下方に移動させられることにより、試料皿４０の取り付けられた皿受け３０が試料皿支持具８０から荷重検出部１０に移し替えられ、試料皿支持具８０が上方に移動させられて試料皿取付位置に運ばれることにより、試料皿４０の取り付けられた皿受け３０が荷重検出部１０から試料皿支持具８０に移し替えられる。【選択図】図４
2012057977.tif 000002
【特許請求の範囲】
【請求項１】
荷重を検出する荷重検出部と、
前記荷重検出部に取り付け取り外し可能となる皿受けと、
試料が載置され、前記皿受けに取り付け取り外し可能となる試料皿と、
前記試料を加熱する加熱部とを備える水分計に用いられる試料皿支持具であって、
前記試料皿が取り付けられた皿受けを支持することが可能となるプレート部と、
把持されるための持ち手とを備え、
前記試料皿が取り付けられた皿受けを支持した試料皿支持具が試料皿取付位置に運ばれて下方に移動させられることにより、前記試料皿が取り付けられた皿受けが試料皿支持具から荷重検出部に移し替えられ、
前記試料皿支持具が上方に移動させられて試料皿取付位置に運ばれることにより、前記試料皿が取り付けられた皿受けが荷重検出部から試料皿支持具に移し替えられることを特徴とする試料皿支持具。
【請求項２】
前記荷重検出部の上面には、連結軸が形成されており、
前記皿受けは、前記連結軸が挿入される挿入孔が下面に形成された柱状体を有し、
前記プレート部は、上下方向に貫通する貫通孔を中央部に有する板状体であり、
前記貫通孔に皿受けの柱状体が挿入されるように支持されることを特徴とする請求項１に記載の試料皿支持具。
【請求項３】
前記皿受けは、前記柱状体の中心軸の一点を中心として水平方向に伸びる複数の枝部を有し、
前記プレート部の上面には、複数の枝部の位置が決まられる凸部が形成されていることを特徴とする請求項２に記載の試料皿支持具。
【請求項４】
前記プレート部の上面に設けられた凸部高さが、皿受けをある程度の角度、支持具を傾けることにより試料皿のみが支持具から分離して外れる様に設計されており、試料皿のみを廃棄できることを特徴とする請求項３に記載の試料皿支持具。
【請求項５】
請求項１〜請求項４のいずれかに記載の試料皿支持具と、
荷重を検出する荷重検出部と、
前記荷重検出部に取り付け取り外し可能となる皿受けと、
試料が載置され、前記皿受けに取り付け取り外し可能となる試料皿と、
前記試料を加熱する加熱部とを備えることを特徴とする水分計。
【発明の詳細な説明】
【技術分野】
【０００１】
本発明は、試料が載置された試料皿を交換するために用いられる試料皿支持具及びそれを備えた水分計に関する。
【背景技術】
【０００２】
電子水分計は、試料皿に載置された試料を加熱乾燥して試料の重量の減少から試料に含まれる水分率を測定するものである（例えば、特許文献１参照）。
図６は、電子水分計の構成を示す斜視図である。また、図７及び図８は、図６に示す電子水分計の断面図である。図７は、試料を測定する状態の電子水分計の断面図であり、図８は、試料を交換する状態の電子水分計の断面図である。
このような電子水分計１０１は、荷重を検出する荷重検出センサ（荷重検出部）１０と、荷重検出センサ１０に取り付けられる皿受け３０と、試料が載置される試料皿４０と荷重検出センサ１０が収容されるケース２０とを有する天秤部５０と、加熱部６０とケース７０とを有する天秤蓋部９０と、試料皿４０を交換するために用いられる試料皿支持具１８０とを備える。
【０００３】
ケース２０は、直方体形状の箱体であり、四角形状の上板２１の中央部には円環形状の風防２２が形成されており、円環形状の風防２２の中心に位置する部分の上板２１には、上下方向に上板２１を貫通する円形状の軸穴２３が形成されている。
また、上板２１の前部には表示部２４が形成されており、表示部２４に「水分率」が表示されるようになっている。
【０００４】
荷重検出センサ１０は、直方体形状のアルミニウム合金製のブロック体であり、ロバーバル機構と、第一レバーと、第二レバーと、ロバーバル機構と第一レバーと第二レバーとを連結する連結部材とが、前後方向に貫通する孔やスリット等を設けることによって形成されている。
ロバーバル機構は、ケース２０に取付部材１２を介して固定される固定柱と、金属製の円柱形状の連結軸１１が結合される可動柱と、両端部に可撓部（ヒンジ部）を有する２本の梁とから構成される。そして、可動柱と固定柱とを、互いに平行な２本の梁によって連結した構造となっている。
【０００５】
第二レバーの他端部には、持出部材１３の基端部がネジ等によって固定される。これにより、試料の荷重は、可動柱と連結部材と第一レバーと連結部材と第二レバーとを介して、持出部材１３の先端部を傾動させるようになっている。このような持出部材１３の先端部の変位は、ケース２０に固定された変位センサ１５によって検出される。また、持出部材１３の先端部には、電磁力発生装置１４のフォースコイルが固着されている。これにより、電磁力発生装置１４のフォースコイルに流される電流の大きさは、変位センサ１５からの検出信号に基づいて、持出部材１３の先端部の変位が０となるようにサーボ機構（図示せず）によって制御される。
なお、連結軸１１の下端部が、荷重検出センサ１０の可動柱の上面に結合されているとともに、連結軸１１の上端部に皿受け３０が測定者によって取り付け取り外し可能となっている。
そして、荷重検出センサ１０は、ケース２０の内部空間に配置されるとともに、連結軸１１は、ケース２０の内側から軸穴２３を通って風防２２の中央に配置されている。
【０００６】
図９は、試料皿４０の平面図である。試料皿４０は、使い捨てになっており、金属製となっている。このような試料皿４０は、円形状の底板４１と、円環形状の側壁４２とを有し、その底板４１の上面には測定者によって試料が載置されるようになっている。
図１０は、皿受け３０の平面図である。皿受け３０は、ステンレス製となっている。このような皿受け３０は、円柱部３１と、円柱部３１の中心軸の一転を中心として水平方向に伸びる３本の枝部３２とを有する。３本の枝部３２は、円柱部３１の中心軸の一転を中心として、それぞれ異なる水平方向に所定の距離で伸びており、例えば平面視で１時と５時と９時との方向に伸びている。また、枝部３２の端部は上方に伸びて、枝部３２の上面に試料皿４０が載置されるとともに、枝部３２の端部が試料皿４０の側壁４２と当接することで、皿受け３０と試料皿４０とが結合されるようになっている。また、円柱部３１の下面には挿入孔３３が形成されており、挿入孔３３に連結軸１１の上端部が挿入されることで、皿受け３０と荷重検出センサ１０とが結合されるようになっている。なお、皿受け３０は決まった方向を向いて荷重検出センサ１０に結合されるようになっている。
【０００７】
ケース７０は、上板７１と側壁７２とを有し、上板７１の下面の中央部には加熱部６０が配置されている。加熱部６０は、赤外線ヒータ等を発熱体とする試料加熱用熱源である。
そして、側壁７２の下部とケース２０の上板２１の後側の一辺とを軸として、ケース７０が回動可能に取り付けられている。このとき、ケース７０が閉じられた際には、ケース７０が風防２２を覆うようになり、一方、ケース７０が開けられた際には、風防２２の中央に配置された試料皿４０が外部空間に曝されるようになっている。
【０００８】
ところで、電子水分計１０１では、多くの試料を測定することとなる。そのため、測定者は、測定後の試料と新たに測定する試料との交換を速やかに行いたいと考えるものである。
そこで、電子水分計１０１の計測空間が熱いまま、測定者が試料の交換を行えるように、試料皿４０を触らずに運ぶことができる試料皿支持具１８０が用いられている。
図１１は、試料皿支持具１８０の平面図である。試料皿支持具１８０は、試料皿４０を皿受け３０から分離して支持することが可能となる円環部１８１と、円環部１８１から外側かつ水平方向に所定の距離で伸びた持ち手１８２とを有する。
【０００９】
円環部１８１は、円環形状であり、平面視で皿受け３０より大きくなっており、かつ、風防２２の内径より小さくなっている。そして、円環形状の円環部１８１から円環部１８１の中心に向かって水平方向に所定の距離で伸びる３本の枝部１８３が形成されている。例えば、３本の枝部１８３は、円環部１８１の中心に向かってそれぞれ異なる水平方向に平面視で３時と７時と１１時との方向に伸びている。
【００１０】
このような試料皿支持具１８０によれば、測定者は、皿受け３０の挿入孔３３に連結軸１１の上端部を挿入することで、決まった方向を向いた皿受け３０と荷重検出センサ１０とを結合しておき、試料皿支持具１８０の枝部１８３の上面に試料皿４０を載置して、持ち手１８２を把持しながら、電子水分計１０１の試料皿取付位置に試料皿４０を運ぶことになる。そして、測定者が試料皿４０を支持した試料皿支持具１８０を下方に移動させることにより、試料皿４０は皿受け３０の枝部３２の上面に載置される。つまり、試料皿４０が試料皿支持具１８０から皿受け３０に移し替えられる。なお、試料皿４０が取り外された試料皿支持具１８０は、測定中には上板２１に載置させておくようになっている。
そして、測定者は、天秤蓋部９０を閉じて試料の測定を行う。このとき、試料皿支持具１８０の持ち手１８２は、所定の距離で伸びているので、天秤蓋部９０が閉じられた際には、持ち手１８２は計測空間の外に配置されるようになっている。つまり、持ち手１８２は熱くならないようになっている。
【００１１】
その後、試料の測定が終了すれば、測定者は、天秤蓋部９０を開けて試料皿４０を外部空間に曝す。そして、測定者が試料皿支持具１８０の持ち手１８２を把持しながら、試料皿支持具１８０を上方に移動させることにより、試料皿４０は試料皿支持具１８０の枝部１８３の上面に載置される。つまり、試料皿４０が皿受け３０から試料皿支持具１８０に移し替えられる。これにより、測定者は、電子水分計１０１の計測空間から試料皿４０を運ぶことで、試料皿４０をゴミ箱等に捨てることになる。
そして、測定者は、新たに測定する試料が載置された試料皿４０を試料皿支持具１８０の枝部１８３の上面に載置することで、測定後の試料と新たに測定する試料との交換を速やかに行うことができる。
【先行技術文献】
【特許文献】
【００１２】
【特許文献１】特開２０００−１６２１０８号公報
【発明の概要】
【発明が解決しようとする課題】
【００１３】
しかしながら、このような試料皿支持具１８０において、測定後の試料と新たに測定する試料との交換は速やかに行えるものの、皿受け３０は荷重検出センサ１０に取り付けられたままとなっているため、皿受け３０が軸穴２３の一部を塞いでおり、荷重検出センサ１０の冷却に時間がかかっていた。
そこで、本発明は、測定後の試料と新たに測定する試料との交換を行う際に、荷重検出部から皿受けをも取り外すことにより、荷重検出部の冷却時間を短くすることができる試料皿支持具及びそれを備えた水分計を提供することを目的とする。
【課題を解決するための手段】
【００１４】
上記課題を解決するためになされた本発明の試料皿支持具は、荷重を検出する荷重検出部と、前記荷重検出部に取り付け取り外し可能となる皿受けと、試料が載置され、前記皿受けに取り付け取り外し可能となる試料皿と、前記試料を加熱する加熱部とを備える水分計に用いられる試料皿支持具であって、前記試料皿が取り付けられた皿受けを支持することが可能となるプレート部と、把持されるための持ち手とを備え、前記試料皿が取り付けられた皿受けを支持した試料皿支持具が試料皿取付位置に運ばれて下方に移動させられることにより、前記試料皿が取り付けられた皿受けが試料皿支持具から荷重検出部に移し替えられ、前記試料皿支持具が上方に移動させられて試料皿取付位置に運ばれることにより、前記試料皿が取り付けられた皿受けが荷重検出部から試料皿支持具に移し替えられるようにしている。
【００１５】
本発明の試料皿支持具によれば、試料皿が取り付けられた皿受けを支持することが可能となるプレート部を備える。つまり、試料皿支持具で試料皿のみを運ぶのではなく、試料皿と皿受けとを運ぶことができる。
これにより、測定者は、試料皿支持具のプレート部に試料皿が取り付けられた皿受けを載置して、持ち手を把持しながら、水分計の試料皿取付位置に試料皿が取り付けられた皿受けを運ぶことになる。そして、測定者が試料皿の取り付けられた皿受けを支持した試料皿支持具を下方に移動させることにより、試料皿を取り付けられた皿受けが試料皿支持具から荷重検出部に移し替えられる。
その後、試料の測定が終了すれば、測定者が試料皿支持具の持ち手を把持しながら、試料皿支持具を上方に移動させることにより、試料皿を取り付けられた皿受けが荷重検出部から試料皿支持具に移し替えられる。これにより、測定者は、水分計の計測空間から試料皿が取り付けられた皿受けを運ぶことができ、プレート部には皿受け位置決め兼落下防止用の突起が設けられておりある程度の角度、支持具を傾けることにより試料皿のみが支持具から分離して外れる様に設計されておりゴミ箱等に捨てることができる。
そして、測定者は、新たに測定する試料が載置された試料皿を皿受けに載置することで、測定後の試料と新たに測定する試料との交換を速やかに行うことができる。
【発明の効果】
【００１６】
以上のように、本発明の試料皿支持具によれば、測定後の試料と新たに測定する試料との交換を行う際に、荷重検出部から皿受けをも取り外すことにより、荷重検出部の冷却時間を短くすることができる。
【００１７】
（他の課題を解決するための手段および効果）
また、上記発明において、前記荷重検出部の上面には、連結軸が形成されており、前記皿受けは、前記連結軸が挿入される挿入孔が下面に形成された柱状体を有し、前記プレート部は、上下方向に貫通する貫通孔を中央部に有する板状体であり、前記貫通孔に皿受けの柱状体が挿入されるように支持されるようにしてもよい。
本発明の試料皿支持具によれば、測定中にプレート部が軸穴の隙間の一部を塞ぐため、荷重検出部に熱が伝わることを防ぐことができる。
【００１８】
また、上記発明において、前記皿受けは、前記柱状体の中心軸の一点を中心として水平方向に伸びる複数の枝部を有し、前記プレート部の上面には、複数の枝部の位置が決まられる凸部が形成されているようにしてもよい。
本発明の試料皿支持具によれば、測定者は、試料皿が取り付けられた皿受けを支持した試料皿支持具を下方に移動させることにより、試料皿が取り付けられた皿受けを決まった方向に向けて荷重検出部に移し替えることができる。
さらに、上記発明において、前記プレート部の上面に設けられた凸部高さが、皿受けをある程度の角度、支持具を傾けることにより試料皿のみが支持具から分離して外れる様に設計されており、試料皿のみを廃棄できるようにしてもよい。
【００１９】
そして、本発明の水分計は、上述したような試料皿支持具と、荷重を検出する荷重検出部と、前記荷重検出部に取り付け取り外し可能となる皿受けと、試料が載置され、前記皿受けに取り付け取り外し可能となる試料皿と、前記試料を加熱する加熱部とを備えるようにしてもよい。
【図面の簡単な説明】
【００２０】
【図１】本発明に係る電子水分計の構成を示す斜視図である。
【図２】図１に示す電子水分計の断面図である。
【図３】図１に示す電子水分計の断面図である。
【図４】試料皿支持具の斜視図である。
【図５】試料皿支持具の図である。
【図６】電子水分計の構成を示す斜視図である。
【図７】図６に示す電子水分計の断面図である。
【図８】図６に示す電子水分計の断面図である。
【図９】試料皿の平面図である。
【図１０】皿受けの平面図である。
【図１１】試料皿支持具の平面図である。
【発明を実施するための形態】
【００２１】
以下、本発明の実施形態について図面を用いて説明する。なお、本発明は、以下に説明するような実施形態に限定されるものではなく、本発明の趣旨を逸脱しない範囲で種々の態様が含まれる。
【００２２】
図１は、本発明に係る電子水分計の構成を示す斜視図である。また、図２及び図３は、図１に示す電子水分計の断面図である。図２は、試料を測定する状態の電子水分計の断面図であり、図３は、試料を交換する状態の電子水分計の断面図である。
このような電子水分計１は、荷重を検出する荷重検出センサ（荷重検出部）１０と、荷重検出センサ１０に取り付けられる皿受け３０と、試料が載置される試料皿４０と、荷重検出センサ１０が収容されるケース２０とを有する天秤部５０と、加熱部６０とケース７０とを有する天秤蓋部９０と、試料皿４０を交換するために用いられる試料皿支持具８０と、表示部２４とを備える。
【００２３】
図４は、試料皿支持具８０の斜視図である。また、図５（ａ）は、試料皿支持具８０の平面図であり、図５（ｂ）は、図５（ａ）に示すＡ−Ａ線の断面図である。
試料皿支持具８０は、金属製であり、試料皿４０が取り付けられた皿受け３０を支持することが可能となるプレート部８１と、プレート部８１から外側かつ水平方向に所定の距離で伸びた持ち手８２とを有する。
【００２４】
プレート部８１は、円板形状であり、平面視で皿受け３０より小さくなっている。そして、プレート部８１の中央には、上下方向に貫通する円形状の貫通孔を有する円筒形状の中央部８３が形成されている。これにより、皿受け３０を運ぶ際には、中央部８３の貫通孔に皿受け３０の円柱部３１が挿入されるように支持されるようになっている。また、測定中には、中央部８３の貫通孔に連結軸１１が挿入されるとともに、軸穴２３に中央部８３が挿入されるようになっている。
【００２５】
プレート部８１の上面には、皿受け３０の３本の枝部３２の位置が決まられる４つの凸部８４が形成されている。これにより、皿受け３０の３本の枝部３２が回転しないよう決まった位置に支持されるようになっている。また、試料皿４０をゴミ箱等に捨てる際には、皿受け３０の３本の枝部３２が凸部８４に支持されるので、少し傾けるだけで皿受け３０から試料皿４０を取り外すことができるようになっている。
【００２６】
持ち手８２は、上方に曲がる湾曲部８２ａを有し、天秤蓋部９０が閉じられた際には、湾曲部８２ａによって風防２２を超えることで、計測空間の外に配置されるようになっている。
【００２７】
このような試料皿支持具８０によれば、測定者は、中央部８３の貫通孔に皿受け３０の円柱部３１が挿入されるように、試料皿支持具８０のプレート部８１の上面に試料皿４０が取り付けられた皿受け３０を載置して、持ち手８２を把持しながら、電子水分計１の試料皿取付位置に試料皿４０が取り付けられた皿受け３０を運ぶことになる。そして、測定者が試料皿４０の取り付けられた皿受け３０を支持した試料皿支持具８０を下方に移動させることにより、試料皿４０が取り付けられた皿受け３０の挿入孔３３に連結軸１１が挿入される。つまり、試料皿４０を取り付けられた皿受け３０が試料皿支持具８０から荷重検出センサ１０に移し替えられる。このとき、試料皿４０が取り付けられた皿受け３０は決まった方向を向いて荷重検出センサ１０に移し替えられる。なお、試料皿４０が取り付けられた皿受け３０が取り外された試料皿支持具８０は、上板２１に載置させておくようになっている。
【００２８】
そして、測定者は、天秤蓋部９０を閉じて試料の測定を行う。このとき、試料皿支持具８０の持ち手８２は、所定の距離で伸びているので、天秤蓋部９０が閉じられた際には、持ち手８２は計測空間の外に配置されるようになっている。つまり、持ち手８２は熱くならないようになっている。また、プレート部８１が軸穴２３の隙間の一部を塞ぐため、荷重検出センサ１０に熱が伝わることを防ぐことができる。
【００２９】
その後、試料の測定が終了すれば、測定者は、天秤蓋部９０を開けて試料皿４０を外部空間に曝す。そして、測定者が試料皿支持具８０の持ち手８２を把持しながら、試料皿支持具８０を上方に移動させることにより、皿受け３０の挿入孔３３から連結軸１１が出される。つまり、試料皿４０の取り付けられた皿受け３０が荷重検出センサ１０から試料皿支持具８０に移し替えられる。これにより、測定者は、電子水分計１の計測空間から試料皿４０が取り付けられた皿受け３０を運ぶことで、試料皿４０をゴミ箱等に捨てることになる。このとき、皿受け３０の３本の枝部３２が凸部８４に支持されるので、少し傾けるだけで皿受け３０から試料皿４０をゴミ箱等に捨てることができる。
【００３０】
そして、測定者は、新たに測定する試料が載置された試料皿４０を皿受け３０の枝部３２の上面に載置することで、測定後の試料と新たに測定する試料との交換を速やかに行っている。このとき、荷重検出センサ１０から皿受け３０が取り外されているため、荷重検出センサ１０の冷却時間が短くなる。
【００３１】
以上のように、本発明の電子水分計１によれば、測定後の試料と新たに測定する試料との交換を行う際に、荷重検出センサ１０から皿受け３０をも取り外すことにより、荷重検出センサ１０の冷却時間を短くすることができる。その結果、新たに測定する試料の測定を速やかに行うことができる。
【産業上の利用可能性】
【００３２】
本発明は、試料が載置された試料皿を交換することができる電子水分計等に好適に利用できる。
【符号の説明】
【００３３】
１  電子水分計
１０  荷重検出部
３０  皿受け
４０  試料皿
６０  加熱部
８０  試料皿支持具
８１  プレート部
８２  持ち手
【図１】
2012057977.tif 000003
【図２】
2012057977.tif 000004
【図３】
2012057977.tif 000005
【図４】
2012057977.tif 000006
【図５】
2012057977.tif 000007
【図６】
2012057977.tif 000008
【図７】
2012057977.tif 000009
【図８】
2012057977.tif 000010
【図９】
2012057977.tif 000011
【図１０】
2012057977.tif 000012
【図１１】
2012057977.tif 000013